(57)【要約】【課題】ロープに付着する海生物等を簡単に、かつ効率よく除去することのでき、また安価に入手しうるロープ清掃装置を提供することにある。【解決手段】本発明は、上端面の中央部に半円状の凹部を有する複数の下部板を所定の間隔をあけて台板上に平行に配置し、該下部板は左右の両端部において台板上に立設固着する支持板に固定し、該下部板の上端面上に中央部に半円状の凹部を有する上部板の下端面を両方の凹部を対向させて載置しており、複数の上部板は一方側の端部において支持板と共に一体的に軸固定し他方側の端部を連結板で固定しており、該上部板を軸回転により開閉自在に下部板と固定する開閉手段を具備するロープ清掃装置であって、上部板の凹部と下部板の凹部において形成される貫通孔をロープの進行方向に複数配列させ、かつ少なくとも第１貫通孔（ロープが最初に通過する貫通孔）の周辺に突起を設けた。【選択図】図１
2019126317.tif 000002
【特許請求の範囲】
【請求項１】
上端面の中央部に半円状の凹部を有する複数の下部板を所定の間隔をあけて台板上に平行に配置し、該下部板は左右の両端部において台板上に立設固着する支持板に固定し、該下部板の上端面上に中央部に半円状の凹部を有する上部板の下端面を両方の凹部を対向させて載置しており、複数の上部板は一方側の端部において支持板と共に一体的に軸固定し他方側の端部を連結板で固定しており、該上部板を軸回転により開閉自在に下部板と固定する開閉手段を具備するロープ清掃装置であって、上部板の凹部と下部板の凹部において形成される貫通孔をロープの進行方向に複数配列させ、かつ少なくとも第１貫通孔（ロープが最初に通過する貫通孔）の周辺に突起を設けたことを特徴とするロープ清掃装置。
【請求項２】
上端面の中央部に半円状の凹部を設け、該凹部の周辺に突起を設けた突起板材を下部板及び／又は上部板に取り付けることにより突起を設けることを特徴とする請求項１に記載するロープ清掃装置。
【請求項３】
第1貫通孔の孔径を他の貫通孔の孔径よりも大きくすることを特徴とする請求項1又は２に記載するロープ清掃装置。
【請求項４】
開閉手段が上部板を連結する連結板に設けた凹部に、下部板と支持板とを固定するボルトに回動自在に取り付けた蝶ネジボルトナットを装着又は脱着させることにより貫通孔の開閉を行う開閉手段であることを特徴とする請求項１乃至３に記載するロープ清掃装置。
【請求項５】
底板を水平方向に回動自在に架台に固定したことを特徴とする請求項１〜４に記載するロープ清掃装置。
【発明の詳細な説明】
【技術分野】
【０００１】
本発明は、水産漁業で用いるロープに付着する海生物等を除去するロープ清掃装置に関するものである。
【背景技術】
【０００２】
養殖等の水産漁業で用いるロープは、半年若しくはそれ以上の期間海中に設置しておくと、貝殻、のり、藻などの海生物や浮き具などの浮遊物が付着する。このようなロープを回収し、保管する際には、この付着物を取り除く作業を行うが、簡単な操作で効果的に付着物を取り除く適切な装置がなく、通常手作業で行う場合が多い。この手作業は時間的にも、肉体的にも負担が大きく、また作業者が怪我をする危険もある。また海生物が付着したロープをそのまま海岸に放置すると腐敗臭により環境が汚染される。
【０００３】
特許文献１には、ロープの径より若干大きい径を有するＵ字形状の誘導部と、半円形状の除去部を有する下方固定板と回動自在な飛出阻止部とを台板上に固着し、海生物が付着したロープを上記の誘導部内と両除去部で形成される貫通孔内を強制的に移動させて、付着物を2段階で除去するロープクリーナーが記載されている。
【先行技術文献】
【特許文献】
【０００４】
【特許文献１】実開昭６１−１０６３８９号公報
【発明の概要】
【発明が解決しようとする課題】
【０００５】
特許文献１に記載のロープクリーナーでは、ロープに付着した海生物は、最初にU字形状誘導部に衝突しその衝撃により一部が除去されるが、この誘導部は上方が開放されており衝撃が十分とはいえず、海生物は若干取り除かれるが、海生物の多くは破壊されないまま、或は半壊の状態で貫通孔を形成する除去部に送られ、該所において集中的に破壊除去が行われることになる。貫通孔は作業途中から次第に破壊された海生物で溢れ、目詰まりを起こしロープが通りにくくなり、やがて通らなくなる。これを防ぐために貫通孔の孔径をもっと大きくすると海生物の取り残しが増える。また、ロープの巻き取り速度を上げると装置の軋みが大きくなり、ロープを傷つけることになる。本発明は貫通孔を複数設け、ロープが最初に通過する第１貫通孔の周辺に突起を設けることにより、上記の課題を解決する、簡単な構造で取扱いの容易で実用性に優れたロープ清掃装置を提供することにある。
【課題を解決するための手段】
【０００６】
請求項１の発明は、上端面の中央部に半円状の凹部を有する複数の下部板を所定の間隔をあけて台板上に平行に配置し、該下部板は左右の両端部において台板上に立設固着する支持板に固定し、該下部板の上端面上に中央部に半円状の凹部を有する上部板の下端面を両方の凹部を対向させて載置しており、複数の上部板は一方側の端部において支持板と共に一体的に軸固定し他方側の端部を連結板で固定しており、該上部板を軸回転により開閉自在に下部板と固定する開閉手段を具備するロープ清掃装置であって、上部板の凹部と下部板の凹部において形成される貫通孔をロープの進行方向に複数配列させ、かつ少なくとも第１貫通孔（ロープが最初に通過する貫通孔）の周辺に突起を設けたことを特徴とするロープ清掃装置に関するものである。
【０００７】
請求項２の発明は、上端面の中央部に半円状の凹部を設け、該凹部の周辺に突起を設けた突起板材を下部板及び／又は上部板に取り付けることにより突起を設けることを特徴とする請求項１に記載するロープ清掃装置に関するものである。
【０００８】
請求項３の発明は、第1貫通孔の孔径を他の貫通孔の孔径よりも大きくすることを特徴とする請求項1又は２に記載するロープ清掃装置に関するものである。
【０００９】
請求項４の発明は、開閉手段が上部板を連結する連結板に設けた凹部に、下部板と支持板とを固定するボルトに回動自在に取り付けた蝶ネジボルトナットを装着又は脱着させることにより貫通孔の開閉を行う開閉手段であることを特徴とする請求項１乃至３に記載するロープ清掃装置に関するものである。
【００１０】
請求項５の発明は、台板を水平方向に回動自在に架台に固定することを特徴とする請求項１〜４に記載するロープ清掃装置に関するものである。
【発明の効果】
【００１１】
本発明装置によれば、ロープに付着した海生物等は周辺に突起を有する第１貫通孔を含む複数の貫通孔を通過させることにより効率よく除去され、ロープをきれいに清掃することができる。また、突起板材を交換することで、強い衝撃を繰り返し受ける突起の摩耗や破壊に対応させることができる。また、装置本体は水平方向に回動自在に架台に取り付けており、ロープの貫通孔への進入、通過にスムーズに対応させることができる。さらにはまた、本発明装置によれば、作業中浮遊物やロープの結び目などに遭遇したときは、一端作業を止めて蝶ネジボルトナットによる連結上部板を開閉するだけで障害物を取り除き、簡単迅速に作業を再開することができる。
【００１２】
本発明装置は、簡単な構造であり、取り扱いが容易で、操作性も良く、小型漁船用に実用性が大きいロープ清掃装置である。
【図面の簡単な説明】
【００１３】
【図１】図１は本発明のロープ清掃装置の開錠した状態を表す概略図
【図２】図２は本発明のロープ清掃装置の閉錠した状態を表す概略図
【図３】図３は本発明のロープ清掃装置の閉錠した状態を上方から見た概略図
【図４】図４は本発明のロープ清掃装置の開錠した状態を右側方から見た概略図
【図５】図５は本発明のロープ清掃装置の開錠した状態を左側方から見た概略図
【図６】図６は本発明のロープ清掃装置の部材の配置説明図
【図７】図7は本発明のロープ清掃装置の漁船への取り付けを表す概略図
【図８】図８は本発明のロープ清掃装置の他の実施形態を表す概略図
【図９】図９は突起板材を表す概略図
【発明を実施するための形態】
【００１４】
以下に、本発明の一実施形態について図を用いて説明する。本発明のロープ清掃装置１における主な部材は図６に示すように配置されている。これらの部材としては、台板２（縦１５０ｍｍ、横３００ｍｍ）、支持板（幅５０ｍｍ、高さ１００ｍｍ）４枚、補強板（幅６０ｍｍ、高さ１００ｍｍ）３枚、下部板（幅２００ｍｍ、高さ５０ｍｍ）２枚、ボルトナット２組が図示されている。これ以外の図示されていない部材として下部板と同形の上部板（幅２００ｍｍ、高さ５０ｍｍ）２枚、該上部板を連結する連結板、ボルトナット１組、蝶ネジボルトナット１組が使用される。各部材はステンレス製で、鋼板は全て１０ｍｍの厚さを使用している。
【００１５】
支持板３、３Ａ、４、４Ａは、横２００ｍｍ、縦８０ｍｍの長方形の２つの長辺の両端部に相当する位置に支持体３と４及び支持体３Ａと４Ａとを各８０ｍｍの間隔を開けて対向させ、支持板３と３Ａ及び支持板４と４Ａとを１００ｍｍの間隔を開けて配置し、台板２上に溶接により立設固着させている。補強板２０、２１及び２２は支持板３と４及び３Ａと４Ａの対向面側に、下部板の厚さ相当の間隙を設けて配備し、台板２上に溶接により立設固着させている。補強板２１と２２はボルト１７の径（１３ｍｍ）より幾分大きい間隙を設けて並行して配置している。下部板５及び６を支持板と補強板で形成される間隙へ嵌装し、該下部板の両端部において支持板３、下部板５、６、支持板４を１本のボルト１６（径１４ｍｍ）、ナット１６Ａで強固に密接固定し、同様に支持板３Ａ、下部板５、６及び支持板４Ａを１本のボルト１７、ナット１７Ａで強固に密接固定している。
【００１６】
下部板５と６は、６０ｍｍの間隔を開けて平行に対向配置されており、中央部に半円状の凹部７、８が形成されている。上部板５Ａと６Ａはそれぞれ下部板５と６上に載置され、支持板３Ａと４Ａと共にボルト１８（径１３ｍｍ）とナット１８Ａにより軸固定されており、ボルト１８を軸として上方へ回動する。前記凹部７と７Ａ、凹部８と８Ａとでそれぞれ第1貫通孔１０及び第２貫通孔１１を形成する。上部板５Ａと６Ａはもう一方の端部において連結板９により連結され、該連結板９の中央部には凹部（幅１８ｍｍ、奥行き２９ｍｍ）１２が形成されており、ボルト１６に回動自在に取り付けた蝶ネジボルト１５（径１６ｍｍ）を嵌め込み蝶ネジナット１４により締め付けて施錠する。
【００１７】
海生物が付着したロープ（２０ｍｍ径）を清掃するときは、ロープの先端部をロープ巻き取り機（図示していない）にセットして、図１に示すように上部板５Ａ、６Ａを上方に移動させた開錠状態でロープを下部板５、６の半円状凹部７、８に載置して、上部板５Ａ、６Ａを下方に降し、蝶ネジボルト１５を連結板９の凹部１２に嵌入させて蝶ネジナット１４により施錠し上部板と下部板を固定して貫通孔を維持する。ロープ巻き取り機を稼働させるとロープは下部板の凹部７、８と上部板の凹部７Ａ、８Ａで形成される第１貫通孔１０（孔径２４．５ｍｍ）、第２貫通孔１１（孔径２１．５mm）を通過する。なお、ロープ径が変われば、その大きさに応じて貫通孔の孔径は適宜選定される。
【００１８】
ロープに付着した海生物は、下部板５と上部板５’で形成された第１貫通孔１０にさしかかると貫通孔１０の周辺に設けられた突起１３や下部板５や上部板５Ａの壁面に強く衝突し破壊されて飛散し、大半の海生物は取り除かれて、ロープは目詰まりもなく第１貫通孔１０を通過し、第２貫通孔１１へ送られる。未破壊の付着物や半壊のまま取り残された海生物は第２貫通孔１１の入口周辺の壁面や孔内の壁面との衝突や摩擦により、一層きれいに取り除かれる。第２貫通孔１１の孔径を第１の貫通孔１０の孔径より小さくし、ほぼロープ径と同じ孔径にすることにより、海生物をほぼ完全にきれいに取り除くことができる。ロープは第２貫通孔１１を通過後に水洗して巻き取るとよい。
【００１９】
牡蠣殻やフジツボなどの貝殻は固く割れにくく、相当大きな破壊力が必要であるが、鋼板製の貫通孔は閉環状であり、貝殻を貫通孔の壁との衝突により十分破壊することができるが、U字状に開放した形状では、衝撃による破壊力は十分とは言えない。貫通孔の孔径がロープの孔径に比べてやや大きい程度では、貫通孔は目詰まりを起こしやすい。貫通孔周辺に突起を設けると海生物は突起との衝突破壊により周辺に飛散し孔内の目詰まりが起こりにくい効果が見られる。海生物は第１貫通孔で粗方除去した状態で第２貫通孔に送られて第２貫通孔により除去を補完することが可能となる。
【００２０】
第１貫通孔１０の周辺に突起１３を設けることにより、フジツボや牡蠣のような硬い殻の海生物の破壊、除去に効果的であり、第１貫通孔１０通過により多くの海生物を破壊し取り除くことができる。また、第２貫通孔１１の周辺にも同様に突起１３を設けてもよく、第１貫通孔で取り残された付着物を突起により一層効率よく取り除くことができる。この突起１３の形状は、円筒状、多角形の柱状、刃物状等任意であり、その配置箇所や個数も任意に選択できる。この突起１３は衝撃による摩耗が激しいので、摩耗状態をみて取り換える必要がある。この突起の取り換えは、突起を取り付けている部材を交換することにより行うことができる。図１〜図７では突起は上部板や下部板に溶接により固着されており、上部板や下部板と共に交換する態様が記載されている。
【００２１】
ロープに海生物のほか、浮き具や蛸壺などの浮遊物が付着している場合には、貫通孔１０の通過前にロープの巻き取り作業を中断して、かかる浮遊物を取り除き、再び作業を行う。またロープの結び目がある場合には、一端作業を中断して、蝶ネジナット１４を緩めて開錠して、上部板５Ａ、６Ａを上方へ移動させてロープの結び目を第２貫通孔１１よりロープ巻き取り機側に移動させた後、上部板５Ａ、６Ａを元に戻して蝶ネジナット１４を締めて施錠し、作業を再開する。この操作は、蝶ネジボルト１５を垂直方向に回動自在にボルト１６に取り付ける施錠構造により簡単に、素早く行うことができる。
【００２２】
本発明のロープ清掃装置の他の実施形態が図８及び図９に示される。幅６０ｍｍ、高さ３０mｍの板材の上端面の中央部に凹部２９を設け、該凹部の近辺に突起１３を溶接により固着しており、この突起板材２７を下部板５及び上部板５Ａにボルト（径６ｍｍ）で３箇所固定している。従って、突起１３の交換は装置本体を分解する必要がなく、簡単に行うことができる。また、凹部２９は貫通孔を形成するために利用することができる。図８に示すように、下部板５と上部板５Ａの凹部に突起板材２７の凹部を重ねて取り付けて、該２つの突起板材２７の凹部２９，２９を対向させて貫通孔を形成することができる。
【００２３】
本発明のロープ清掃装置１は台板２の適所に設けたボルト２３（径１６ｍｍ）により架台２４に水平方向に回動できるように取り付けている。ロープの進入角度が変化した場合この変化に対応して装置１が水平方向に回動しロープの進入角度を調整することにより、ロープの移送を円滑に進めて、運転時にロープを介して本装置１に係る衝撃を軽減することができる。前記架台２４は漁船のかんざし２５に取り付けてボルト２６で締め付けて固定する例をあげているが、取り付け部位の形状に応じて架台の形状を変える。
【００２４】
下部板５と６の間は補強板２０、２１、２２と共に空間を形成しており第２貫通孔により破壊され除去された海生物の破壊片がここに蓄積する。この空間は必要に応じて広さを変えることができる。この蓄積破壊片は下部板５の隅部に排出口１９を設けることにより外部へ排出する。ロープ清掃装置１の第１貫通孔側の前部に破壊片を収集する誘導板を取り付けて、海生物除去作業中に発生する破壊片を集めて、海水中へ落下放散させることができる。
【産業上の利用可能性】
【００２５】
漁船やボート等の係留や養殖漁業に使用されるロープの清掃用途に使用できる。
【符号の説明】
【００２６】
１                  ロープ清掃装置  
２                  台板
３、３Ａ、４、４Ａ  支持板
５、６              下部板
５Ａ、６Ａ          上部板
５Ｂ                下部板上端面
６Ｂ                上部板下端面
７、８              下部板凹部
７Ａ、８Ａ          上部板凹部
９                  連結板
１０                  第１貫通孔
１１                  第２貫通孔
１２                  連結板凹部
１３                  突起
１４                  蝶ネジナット
１５                  蝶ネジボルト
１６、１７            ボルト
１６Ａ、１７Ａ        ナット
１８                  ボルト
１８Ａ                ナット
１９                  排出口
２０、２１、２２      補強板
２３                  ボルト
２４                  架台
２５                  かんざし
２６                  固定具
２７                  突起板材
２８                  ボルト用孔
２９                  凹部
３０                  ロープ
【図１】
2019126317.tif 000003
【図２】
2019126317.tif 000004
【図３】
2019126317.tif 000005
【図４】
2019126317.tif 000006
【図５】
2019126317.tif 000007
【図６】
2019126317.tif 000008
【図７】
2019126317.tif 000009
【図８】
2019126317.tif 000010
【図９】
2019126317.tif 000011
【手続補正書】
【提出日】平成30年12月25日(2018.12.25)
【手続補正１】
【補正対象書類名】特許請求の範囲
【補正対象項目名】請求項２
【補正方法】変更
【補正の内容】
【請求項２】
端面の中央部に半円状の凹部を設けるとともに該凹部の周辺に突起を設けた突起板材を、下部板及び／又は上部板に取り付けることにより、下部板及び／又は上部板の凹部に突起板材の凹部を重ねたことを特徴とする請求項１に記載するロープ清掃装置。
【手続補正２】
【補正対象書類名】特許請求の範囲
【補正対象項目名】請求項５
【補正方法】変更
【補正の内容】
【請求項５】
台板を水平方向に回動自在に架台に固定したことを特徴とする請求項１〜４に記載するロープ清掃装置。
【手続補正３】
【補正対象書類名】明細書
【補正対象項目名】０００７
【補正方法】変更
【補正の内容】
【０００７】
請求項２の発明は、端面の中央部に半円状の凹部を設けるとともに該凹部の周辺に突起を設けた突起板材を、下部板及び／又は上部板に取り付けることにより、下部板及び／又は上部板の凹部に突起板材の凹部を重ねたことを特徴とする請求項１に記載するロープ清掃装置に関するものである。